Podtech/llm-jp-corpus-v4-ja_patent huggingface dataset:
(57)【要約】 【課題】  小径ホールの内部まで十分な乾燥ができる基板乾燥装置を得る。【解決手段】  本発明の基板乾燥装置は、一方向に移動する移動台１に載置した基板２に、直線上に配置した複数のノズル３からドライエアを噴出させて乾燥させるもので、基板２の進行方向に対して垂直な一軌道上に等間隔のピッチで、且つ基板２に対して垂直に配した複数のノズルを有するエア供給管５と、エア供給管５を往復運動させるリニアモータ７とを備えたものである。  また、リニアモータの可動子７ｂに固定したエア供給管５の組を２組として平行に配置し、互いに逆方向に駆動させるとなおよい。【選択図】    図１
2006138540.tif 000002
【特許請求の範囲】
【請求項１】
一方向に移動する移動台に載置した基板を、直線上に配置した複数のノズルからドライエアを噴出させるにより乾燥させる基板乾燥装置において、
前記基板の進行方向に対して垂直な一軌道上に等間隔のピッチで、且つ前記基板に対して垂直に配した複数のノズルを有するエア供給管と、前記エア供給管を往復運動させるリニアモータとを備えたことを特徴とする基板乾燥装置。
【請求項２】
前記リニアモータの可動子に固定した前記エア供給管の組を２組として平行に配置し、互いに逆方向に駆動させることを特徴とする請求項１記載の基板乾燥装置。
【発明の詳細な説明】
【技術分野】
【０００１】
本発明は、基板表面をドライエアの噴出によって乾燥させるノズルユニットを、リニアモータにて駆動する基板乾燥装置に関する。
【背景技術】
【０００２】
従来のノズル式の基板乾燥装置として、図２に示すようなものが提案されている。図において、１は移動台、２は基板、４はノズル、８は直線状のノズルホルダである。この装置は、移動台１に基板２が載置され、ノズル４を固定した直線状のノズルホルダ８が基板２の進行方向に対して垂直方向に配置されている。そして、図２のように各ノズル４をスイングさせることによって基板２の面全体をカバーしている。
また、一方向に移動するガラス基板にノズルを直角方向に移動させて高圧の液体を吹付けるものも提案されている（例えば、特許文献１参照）。
また、プリント基板の移動方向に対して直角方向に一列に配置したノズルを吹付けて、プリント基板の水切り乾燥を行うものも提案されている（例えば、特許文献２参照）。
【特許文献１】特開２００３−０３４５５５号公報（第１図）
【特許文献２】特開平６−３３８６７６号公報（第１図）
【発明の開示】
【発明が解決しようとする課題】
【０００３】
ところが、従来のノズル式の基板乾燥装置は、スイング方式であるために基板に対してエアが垂直に当たらない部分があり、技術の向上とともに小径化してきているスルーホールだと乾燥が不十分になるという問題点がある。そこで、等ピッチ且つ小径ホールに垂直に配した複数のノズルを、サーボモータ＋ボールネジ機構で駆動する方法が考えられる。しかし、１．高加減速駆動に対して機械的にもたない、２．粉塵を発するためにクリーン性に乏しい、といった問題があり、回転型モータで駆動するのは現実的に厳しい。
また、特許文献１のものでは１のノズルを往復させているので、移動中の基板に適用すると、むらが生じ乾燥が不十分である。さらに、特許文献２のものでは、複数のノズルはあるが、固定されているのでノズルとノズルとの間の部位は乾燥が不十分になる。
本発明はこのような問題点に鑑みてなされたものであり、基板の進行方向に対して垂直な一軌道上に等ピッチ且つ小径ホールに垂直に配した複数のノズルを全て同様に動くように連結し、その同軸線上にリニアモータを配備し、その可動子とノズルユニットを連結した構造とすることで、小径ホールの内部まで十分な乾燥ができる基板乾燥装置を提供することを目的とする。
【課題を解決するための手段】
【０００４】
上記問題を解決するため、本発明は、次のように構成したものである。
請求項１に記載の発明は、一方向に移動する移動台に載置した基板に、直線上に配置した複数のノズルからドライエアを噴出させるにより乾燥させる基板乾燥装置において、
前記基板の進行方向に対して垂直な一軌道上に等間隔のピッチで、且つ前記基板に対して垂直に配した複数のノズルを有するエア供給管と、前記エア供給管を往復運動させるリニアモータとを備えたものである。
請求項２に記載の発明は、前記リニアモータの可動子に固定した前記エア供給管の組を２組として平行に配置し、互いに逆方向に駆動させるものである。
【発明の効果】
【０００５】
請求項１に記載の発明によると、基板の進行方向に対して垂直な一軌道上に等ピッチ且つ小径ホールに対して垂直に配した複数のノズルを持ったユニットで、各ノズルは全て同様に動くように連結されており、その同軸線上にリニアモータを配備し、その可動子とノズルユニットを連結した構造とすることで、小径ホールに対して常にエアが垂直に当てることができるので、小径ホールの内部まで乾燥が十分にできる。
また、請求項２に記載の発明によると、リニアモータ可動子２個にそれぞれ同数個のノズルを連結し、２個の可動子を同軸線上において常に逆方向に駆動させることによって、振動を抑制することができる。
【発明を実施するための最良の形態】
【０００６】
以下、本発明の実施の形態について図を参照して説明する。
【実施例１】
【０００７】
図１は、本発明の基板乾燥装置の全体図である。図において、３はノズル、５はエア供給管、６はエア供給手段、７はリニアモータである。他の符号は従来と同じであるため、説明を省略する。  
リニアモータ７は、固定子７ａ、可動子７ｂ、可動子支え７ｃからなる。ノズル３をリニアモータ７の可動子７ｂ、可動子支え７ｃと連結した構造となっている。
【０００８】
つぎに、本発明の基板乾燥装置の動作について述べる。移動する基板２に対してリニアモータ７の可動子７ｂをそれぞれ高加減速で駆動させることにより、基板２の面全体に渡って、ノズル３から噴出されるエアが常に基板２に対して垂直に当たるようになり、径の小さなスルーホールの中においても十分に乾燥させることができる。更に、可動子７ｂをそれぞれ常に逆方向に同期させて駆動させることにより振動を抑制し、基板搬送ラインに振動を与えことがない。
【産業上の利用可能性】
【０００９】
ディスペンサ装置による液体塗布の分野においても、液体が噴出されるノズルを塗布面に対して垂直に配し、Ｘ−Ｙリニアステージの可動子と連結した構造にすることによって、迅速且つ確実な塗布が実現できる。
【図面の簡単な説明】
【００１０】
【図１】本発明の第１実施例を示す基板乾燥装置の上面図
【図２】従来の基板乾燥装置を示す模式図
【符号の説明】
【００１１】
１  移動台
２  基板
３、４  ノズル
５  エア供給管
６  エア供給手段
７  リニアモータ
７ａ  固定子  
７ｂ  可動子
７ｃ  可動子支え
８  ノズルホルダ
【図１】
2006138540.tif 000003
【図２】
2006138540.tif 000004
(57)【要約】      （修正有）【課題】従来の打上げ筒底部の形状では、筒上部より玉を落下挿入させた際に、玉の親導部分が直接打上げ筒底面に衝突し、玉の親導部分を損傷する危険性がある。【解決手段】打上げ筒底面１に複数の突起２を設ける。【選択図】図３
2006138556.tif 000002
【特許請求の範囲】
【請求項１】
筒底部に複数の突起部を設けたことを特徴とする煙火用打上げ筒  
【発明の詳細な説明】
【技術分野】
【０００１】
本発明は煙火打上げに用いる打上げ筒の形状に関する。
【特許文献１】特開平１０−２７００号広報
【特許文献２】特開平１１−４８３６８号広報
【背景技術】
【０００２】
従来の煙火打上げに用いる煙火打上げ筒の底面の形状は、図１に示すように、平面若しくは球面である。
【発明の開示】
【発明が解決しようとする課題】
【０００３】
しかしながら従来の打上げ筒底面の形状では、筒口より玉を挿入させた際に、玉の親導（点火部）部分が直接打上げ筒底面に衝突し、玉の親導部分を損傷する危険性があり、それによって打上げ時には、玉の低空開発や、筒内部での開発を引き起こす等の事故がある。
そこで本発明は、玉の親導部分を損傷させること無く、安全な煙火打上げを可能とすることを課題とする。
【課題を解決するための手段】
【０００４】
上記課題を解決するために、請求項１記載の煙火用打上筒は、打上筒底面に複数の突起を設けたことを特徴とする煙火用打上げ筒である。
【発明の効果】
【０００５】
請求項１記載の発明によれば、煙火用打上げ筒の底部に複数の突起を設けたので、玉の親導が、直接煙火用打上げ筒の底面に接触することが無く、親導の損傷を防ぐ。
【発明を実施するための最良の形態】
【０００６】
この発明の実施形態を図１、図２に示す、煙火用打上げ筒の本体は樹脂製若しくは紙製であり、底部は樹脂製である。また、ステンレス製の煙火用打上げ筒における実施形態は図３に示す。
【０００７】
この実施形態によれば、打上げ筒の底面中心に複数配置された突起の働きによって、玉の親導が直接煙火用打上げ筒の底面に接触することが無く、親導の損傷を防ぐ。
「他の実施形態」
他の実施形態では煙火用打上げ筒底部の突起は、図１、図２に示した形状以外に、半円球状の突起でもよい。
【図面の簡単な説明】
【０００８】
【図１】この発明の実施形態を示す、上面図である。
【図２】この発明の実施形態を示す、縦断面図である。
【図３】この発明において打上げ火薬と、玉を挿入した際の縦断面図である。
【図４】ステンレス製の煙火用打上げ筒における、この発明の実施形態を示す、縦断面図である。
【図５】従来技術を示す、縦断面図（図はステンレス製）である。
【符号の説明】
【０００９】
１  煙火用打上げ筒低部本体              ２  突起部
３  打上げ筒本体（紙製）                ４  打上げ火薬
５  玉                                  ６  親導（点火部）
７  打上げ筒本体（ステンレス製）
【図１】
2006138556.tif 000003
【図２】
2006138556.tif 000004
【図３】
2006138556.tif 000005
【図４】
2006138556.tif 000006
【図５】
2006138556.tif 000007
(57)【要約】      （修正有）【課題】切断した既設管の接続には狭い施工場所に於いても漏水等の心配がなく簡単に施工が行え、何度でも取り外しができ、漏水のない継手を提供する。【解決手段】ユニオン式構造を有した継手で、片側は管と接着剤で接続をして、外側にオス部のねじが付いており、もう片一方の管には止水用のゴムパッキン、ゴムパッキンのねじれ防止用のスリップワッシャー、メス部のねじが付いた袋ナットで、外側にオス部のねじが付いた継手に接続配管をして止水される。【選択図】図２
2006138461.tif 000002
【特許請求の範囲】
【請求項１】
排水管の継手で、集合住宅、戸建住宅等の既設排水管より新たに配管した場合、切断した排水管の接続にあたりユニオン式構造をした継ぎ手で、簡単に接続ができ又、配管した部分を簡単に取り外せる事を特徴とする、構造を有した継手、
特に床下などの狭い施工場所に於いて、漏水等の心配がなく簡単な作業道具で、施工が行える。
【発明の詳細な説明】
【発明の詳細な説明】
【技術分野】
【０００１】  本発明は、配管に使用する継手に属するものである。
【背景技術】
【０００２】これまでの配管工事では、切断した既設管の接続には、継手の片側は差し口になっており、もう片側は受け口の長い（差し口の倍以上）ゴムリングの接続になっている、業界的には、やりとり継手と言う商品名の継手が使われている。
【発明が解決しようとする課題】
【０００３】これまでの配管工事では、切断した既設管の接続には、継手の片側は差し口になっており、もう片側は受け口の長い（差し口の倍以上）ゴムリングの接続になっている継手が使われていた。
この継ぎ手は、漏水しない作りにはなっておらず、外部工事においては土の中という事もあり、多少の漏れは問題にならず使用できたが、建物の中での漏水は問題であり、使用することはできなかった。
又、床下などの狭い場所に於いては作業性も悪く、配管したり接続箇所の取り外したりと数度の作業は不可能であった。又その他にトーチランプ等で、あぶっての現場加工で、火を使い火災の注意も必要であった。
本発明はこのような課題を克服し簡単に何度でも取り外しができ、漏水のない継手を提供することを目的としたのである。
【課題を解決するための手段】
【０００４】前記目的は、ユニオン式構造を有した継手で、片側は管と接着剤で接続をして、外側にオス部のねじが付いており、もう片一方の管には止水用のゴムパッキン、ゴムパッキンのねじれ防止用のスリップワッシャー、メス部のねじが付いた袋ナットで、外側にオス部のねじが付いた継手に接続配管をして止水される事によって、目的が達成されるものである。
【発明の効果】
【０００５】  以上述べたように本発明の既設管用接続継手は狭い施工場所に於いて、漏水等の心配がなく簡単に施工が行え、何度でも取り外しができ、漏水のない継手を提供することを目的としたのである。
【実施例】
【０００６】  配管作業に於いて、リホーム等、途中の配管を切断して新たに配管をしようとした場合既設管と新たな配管を接続するのに、トーチランプ等で、あぶっての現場加工で、火を使い火災の注意も必要であった。又やりとり継手を使用した場合この継手は、漏水しない作りにはなっておらず、建物の中での漏水は問題であり、使用することはできなかった
以下図に基づき説明する。
図１は旧来使用のやりとり継手
図２は既設管等接続継手の全体図
図３の１は外側にオス部のねじが付いた継手、２は１のねじ部、３はゴムパッキン、４はスリップワッシャー、５はメス部のねじ、６はメス部のねじの付いた袋ナット、７は接着剤の塗布面、８、９はパイプ、まず、８と１を接続配管
図４はパイプ８と１を接続配管した継手とパイプ９に６のメス部のねじの付いた袋ナット、３のゴムパッキン、４のスリップワッシャーを挿入する、図５のように袋ナットを１の継手にねじ込み接合して排水の漏水を防止する構造となっている。以上図４の様に施工する事によって簡単に施工が出来、長期間耐久性に優れ作業性も良く漏水の心配もなく、またパイプの両端にこの既設管用接続継手を使用する事によって何度でも取り外し可能な配管継手を提供出来るものと考える。
【図面の簡単な説明】
【図１】旧来使用のやりとり継手
【図２】既設管等接続継手の全体図
【図３】既設管等接続継手の取り付け展開図
【図４】パイプと継手を接着し袋ナット、スリップワッシャー  ゴムパッキン、を取り付け、ねじ込み接合配管前の状況
【図５】パイプと既設管等接続継手の配管取り付け状況
【符号の説明】
１      外側にオス部のねじが付いた継手、
２      １のねじ部、
３      ゴムパッキン、
４      スリップワッシャー、
５      メス部のねじ、
６      メス部のねじの付いた袋ナット、
７      接着剤の塗布面、
８      パイプ、
９      パイプ、
【図１】
2006138461.tif 000003
【図２】
2006138461.tif 000004
【図３】
2006138461.tif 000005
【図４】
2006138461.tif 000006
【図５】
2006138461.tif 000007
(57)【要約】      （修正有）【課題】震災時に建築物と構造物等の倒壊を防ぐ事を課題とする。【解決手段】建築物と構造物等の倒壊を防ぐ為、基礎８の天端にスプリングばね６を固定しその上に３個のフリーベアリング４を正三角形状に並べさらにその中心に１個のフリーベアリング５を固定して、土台１下の固定した１個のフリーベアリング３をその正三角形状の中心に接触固定して上下に組み合わせる事で縦揺れと横揺れを軽減する。【選択図】図１
2006138462.tif 000002
【特許請求の範囲】
【請求項１】
基礎天端の台座上にスプリングばねを固定することを特徴とする免震装置。
【請求項２】
その固定スプリングばね上に台座でフリーベアリング３個を正三角形状に並べてさらにその中心に１個のフリーベアリングを固定して計４個とする事を特徴とする免震装置。
【請求項３】
土台下から１個のフリーベアリングを下側方向に固定する事を特徴とする免震装置。
【請求項４】
〔請求項１〕と〔請求項２〕の中心に請求項３のフリーベアリング１個を接触固定させて上側１個と下側４個に組み合わせる事を特徴とする免震装置。
【発明の詳細な説明】
【技術分野】
【０００１】本発明は震災による建築物及び構造物の倒壊に関するものであり基礎天端と土台下部との間に工夫を加えることによって倒壊を防ぐようにしたものである。
【背景技術】
【０００２】従来、免震にはスプリング式・ベアリング式・スライド摩擦式・天秤式等がある。【特許文献１】
【非特許文献１】
【発明の開示】
【発明が解決しようとする課題】
【０００３】本発明は地震の縦揺れにはスプリングばねが作用して横揺れにはフリーベアリングを上下に組合わせた事で揺れを回転で減少させ建築物・構造物の倒壊を防ぐ事を課題とする。
【課題を解決するための手段】
【０００４】この課題を解決するため請求項１の発明は基礎天端のスプリングばねで縦揺れを減少させる事で解決する。【０００５】請求項２，３，の発明はフリーベアリングを上下に組み合わせて接触固定させる事により横揺れをベアリングで回転させて揺れを減少させる事で解決する。【０００６】基礎天端のスプリングばねとその上のフリーベアリング３個を正三角形状に固定してその中心にさらに１個のフリーベアリングを固定する。土台下から１個の固定したフリーベアリングをその正三角形状の中心に接触させ固定する事で縦ゆれ横揺れを減少させる事で解決する。
【発明の効果】本発明により縦揺れ減少にはスプリングばねが作用し横揺れにはフリーベアリング上下を組み合わせて回転して揺れ減少させる事ができるので建築物と構造物の倒壊を防ぐ事ができる。
【発明を実地するための最良の形態】
【０００７】図１は基礎天端にスプリングばねを固定し、その上に３個のフリーベアリングを正三角形状に並べさらにその中心に１個のフリーベアリングを固定して土台下の１個の固定したフリーベアリングをその正三角形状の中心に接触固定させて上下に組み合わせた免震装置の断面図である。
【０００８】基礎天端のスプリングばね上の正三角状のフリーベアリングは３個以上の組み合わせでも良い。又、平面に連続して並べてもよい。
【０００９】土台下の固定のフリーベアリングの数は１個以上の組み合わせでもよい。又、平面に連続して並べてもよい。
【００１０】フリーベアリングの取付形態は基礎天端のスプリングばね側に１個、土台下部側に３個のように上下逆に取付けても良い。
【００１１】スプリングばねでなく板ばねでも良く、又土台下にスプリングばねを取り付けてもよい。
【００１２】縦ゆれを無視すればスプリングばねは不用でフリーベアリングだけの上下の組み合わせでもよい。正三角状のフリーベアリングでなくてもスライドベアリングでもよい。又、軽荷重には正三角形状の中心１個のフルーベアリングは除いてもよい。
【産業上の利用可能性】
【００１３】産業上の利用は建築物だけでなく構造物・列車用のレール下・橋脚支持部・トンネル下部・水槽等利用価値が広く軽量物から重量物まで設計設置が出来るので利用可能性は広い。
【図面の簡単な説明】
【００１４】
【図１】図１は基礎天端上にスプリングばねを固定しその上にフリーベアリング３個を正三角形状に並べさらにその中心に１個のフリーベアリングを固定して土台下の固定した１個のフリーベアリングを上下に組み合わせた状態の断面図である。
【符号の説明】
【００１５】１    土台                                  ６    スプリングばね２    固定用シャフト                        ７    スプリングばね用台座３    上側フリーベアリング                  ８    基礎４    下側フリーベアリング                  ９    上側フリーベアリング台座５    荷重支持用のフリーベアリング          １０  下側フリーベアリング台座
【図１】
2006138462.tif 000003
(57)【要約】【課題】  コンピュータ操作用のマウスにおいて、マウスポインタの細かな操作が出来る足操作式マウスを提供する。【解決手段】  湾曲したマウスパッドを垂直に固定し、足板かかと部をマウスパッドの半分の高さの回転可能な台座に設置し、足板の先端部にマウスボール及び光学センサー等の移動量読取装置を設け、足首とつま先で細かな操作が出来ることを特徴とする足操作式マウス。【選択図】  図１
2006127437.tif 000002
【特許請求の範囲】
【請求項１】
湾曲したマウスパッドを垂直に固定し、足板のかかと部をマウスパッドの半分の高さの回転可能な台座に設置し、足板の先端部にマウスボール及び光学センサー等の移動量読取装置を設け、足首とつま先で細かな操作が出来ることを特徴とする足操作式マウス。
【発明の詳細な説明】
【技術分野】
【０００１】  本発明は、コンピュータ操作用のマウスにおいて、マウスポインターの細かな操作が出来る足操作式マウスに関するものである。
【背景技術】
【０００２】  従来、足操作式マウスを操作するときは、床等の平面部に置いてひざを支点として操作していた。
【発明の開示】
【発明が解決しようとする課題】
【０００３】  そのために、次のような問題点があった。
ひざを支点としてのマウスの操作は細かな調整が難しい上に、足の荷重もかかるのでマウスの操作が困難であった。
本発明は以上の問題点を解決するものである。
【課題を解決するための手段】
【０００４】  湾曲したマウスパッドを垂直に固定し、足板かかと部をマウスパッドの半分の高さの回転可能な台座に設置し、足板の先端部にマウスボール及び光学センサー等の移動量読取装置を設け、足首とつま先で細かな操作が出来る。以上を特徴とする足操作式マウス。
【発明の効果】
【０００５】  本発明は、足操作式マウスの操作を足首とつま先で行うので、細かな操作が可能であり、また両手が使えるので作業効率が上がる。
【発明を実施するための最良の形態】
【０００６】  以下、本発明の実施の形態を説明する。
（イ）基盤（１）に、支点軸（２）からマウスボール（３）の先端までの距離の同心円状に湾曲したマウスパッド（４）を垂直に設ける。
（ロ）台座（５）を、支点軸（２）をかいして基盤（１）に設置する。
（ハ）足板（６）を、支点軸（７）をかいして台座（５）に設置する。
（ニ）しなりのある素材で出来た足板（６）の先端に、マウスボール（３）等の移動量読取装置を設置する。
（ホ）足板（６）に、足を固定するための調整バンド（８）と足カバー（９）を設置する。
（ヘ）かかとが高くなった形状のクリック用基盤（１０）前部の中央に、マウスのオン・オフボタン（１１）、右側に右クリックボタン（１２）、左側に左クリックボタン（１３）を設置する。
（ト）基盤（１）とクリック用基盤（１０）をコード（１４）でつなぎ、データ送信のためにコード（１５）を設ける。
本発明は、以上の構成よりなっている。
本発明を使用するときは、右足を足カバー（９）に挿入し、調整バンド（８）で固定し、左足をクリック用基盤（１０）に乗せ使用する。
操作をするときは、まず右足でマウスボール（３）をマウスパッド（４）の中央に移動させ、左足でオン・オフボタン（１１）を踏みオンにし、マウスポインタの操作を開始する。クリックをするときは、左足でそれぞれのクリックボタン（１２）（１３）を踏みクリックする、この時マウスの移動は、オン・オフボタン（１１）がオフになっているので動くことはない、またマウスポインタを微調整するときは、つま先で調整する。
【図面の簡単な説明】
【０００７】
【図１】本発明の斜視図
【図２】本発明のマウスの断面図
【符号の説明】
【０００８】  １  基盤
２  支点軸
３  マウスボール
４  マウスパッド
５  台座
６  足板
７  支点軸
８  調整バンド
９  足カバー
１０  クリック用基盤
１１  オン・オフボタン
１２  右クリックボタン
１３  左クリックボタン
１４  コード
１５  コード
【図１】
2006127437.tif 000003
【図２】
2006127437.tif 000004
(57)【要約】      （修正有）【課題】目の不自由な方や、暗闇等でも簡単に許可信号が出せるようにし、他の人から読み取られずらく、かつ、判りやすくする暗証番号入力装置を提供する。【解決手段】操作入力部に一個のボタンスイッチ又は切り替えスイッチを具備し、そのスイッチから信号を受けたＰＩＣが回数および条件でＯＮかＯＦＦを判断するようにした。すなわち、あらかじめＰＩＣを登録したプログラムに用意した一個のボタンスイッチの押し方又は切り替えスイッチで左倒し回数、右倒し回数、左倒し回数、右倒し回数をプログラム通り行い、ＰＩＣプログラム条件と一致した時のみ許可信号を出すことが出来るようにした。【選択図】図１
2006127435.tif 000002
【特許請求の範囲】
【請求項１】
操作入力部に一個のボタンスイッチ又は切り替えスイッチを具備し、そのスイッチから信号を受けたＰＩＣが回数および条件でＯＮかＯＦＦを判断する事を特徴とする暗証番号入力装置
【発明の詳細な説明】
【技術分野】
【０００１】本発明は暗証番号入力装置に関するものであり入力方法に工夫を加えることによって、誰でも目の不自由な方や暗闇でも、一個のボタンスイッチ又は切り替えスイッチでこの装置は、暗証番号を知らない人に読み取られるのを防止することができる。
【背景技術】
【０００２】従来から暗証番号入力装置には、特許番号第２９８５８８８号  第３５５８４６７号広告番号  特公平８−３３９４５  公開番号  特開２００１−１４７７６３  特開２００１−３４４０５８  特開２０００−３３９０８４  特開２００２−２５９０２４他色々有った
【発明の開示】
【発明が解決しょうとする課題】
【０００３】従来指先で数字を触れる（タッチパネル）方式  キーボード方式  カーソール方式テンキー方式その他いろいろ有った、手の指先を移動して数字及び記号を入力していたので角度によって読み取られやすく又移動先を目で確認していた。
目の不自由な方や暗闇等では使用しずらかった。
このような不都合を解決する事を課題とする。
【課題を解決する為の手段】
【０００４】この課題を解決するための手段として、あらかじめＰＩＣに登録したプログラムに用意した一個のボタンスイッチの押し方法又は切り替えスイッチで左倒し回数、右倒し回数、左倒し回数、右倒し回数をプログラム通り行いＰＩＣブログラム条件と一致した時のみ許可信号を出すことが出来ようにした。
【発明の効果】
【０００５】本発明は一個のボタンスイッチ又は切り替えスイッチにより押し方方法又単純に左右に倒す方式であるため暗記した回数又プログラムを実行するだけでよい、また、この装置は目の不自由な方や暗闇でも簡単に許可信号が出せるようにしたので、指を移動する事がなく他の人から読み取られずらく、かつ、判りやすくした。
【発明を実施する為の最良の形態】
【０００６】図１は分解した本装置の斜視図でこれらをいろいろ組み合わせする事で最良の形態を得ることが出来る
【産業上の利用の可能性】
【０００７】本発明に係る暗証番号入力装置は目の不自由な方でも誰でも簡単に使用出来るので幅広く利用可能性を有する
本装置の斜視図
【図面の簡単な説明】
【０００８】
【図１】本装置の斜視図
【符号の説明】
１．押しボタン又は切り替えスイッチ
２．帯条電線
３．ＰＩＣ
４．基盤
５．リレー
６．電源
７．電池
【図１】
2006127435.tif 000003
(57)【要約】【発明の課題】  従来のキ−ボ−ドのような入力ボタンの小さな物では、視力弱者の方や高齢者の方には表示文字の識別が難しく、又操作自体に困難を伴う為、入力ボタンを大きくし、表示文字も大きな表示にすることが必要と思われる。  又、各パソコンの操作マニュアル等に記載されたボタン操作説明に対応させる点において、入力ボタンの表示をＪＩＳ規格と同じ表示にすることも必要と思われる。  さらに、視野の極端に狭い入力者対策として、入力ボタンが入力者に対し一定角度で正対し、表示文字が常に正面に見える、扇型展開配置のものの必要性も感じられる。【解決手段】  ＪＩＳ規格にのっとった大型操作ボタンを作成し、同ボタンの底部と、本体底部に固定した、従来の各社キ−ボ−ドの操作ボタンの上部をジョイント材により連結させたものが本発明である。  入力ボタンの配置は通常のもの、並びに扇状のものである。【選択図】  図１
2006127438.tif 000002
【特許請求の範囲】
【請求項１】
入力ボタンの表示部分がＪＩＳ規格と同一の大型操作ボタンをジョイント材で、本体底部に固定した市販キ−ボ−ドの個々の操作ボタン上部に連結して操作するキ−ボ−ド。
【請求項２】
上記構造を有し、本体平面の形状が扇型に類似しており、操作ボタンの配列も扇状に配列されているキ−ボ−ド。
【発明の詳細な説明】
【技術分野】
【０００１】  この発明は、入力ボタンの表示部分がＪＩＳ規格と同一の大型操作ボタンをジョイント材で、本体底部に固定した市販キ−ボ−ドの個々の操作ボタン上部に連結して操作する装置で、本体の平面の形状が長方形もしくは扇型に類似しているものに関するものである。
【背景技術】
【０００２】  従来、入力ボタンの表示部分がＪＩＳ規格によるキ−ボ−ドの操作ボタンの大きさきは、指に触れる部分の大きさが１辺約１２ｍｍ程度であり、この大きさでは視力弱者の方や高齢者の方には表示文字の識別が容易でなく、又、操作性もあまり良いものとは言えなかった。【０００３】  又、入力ボタンの１辺の大きさが２５ｍｍ程度のものは一部、市場に出ているが、文字入力専用のもので、文字入力ボタンの表示形態が、ＪＩＳ規格のものとは全く異なる物であり、パソコンの操作マニュアル等に記載されたボタン操作説明に対応出来るものではなかった。
【発明の開示】
【発明が解決しようとする課題】
【０００４】  入力ボタンの指に触れる部分の大きさが１辺約１２ｍｍ程度では、視力弱者の方や高齢者の方には表示文字の識別が容易でなく、又操作自体に困難を伴う為、入力ボタンの大きさを大きくし、記載文字も相対的に大きな表示にすることが必要と思われた。【０００５】  又同時に、パソコンの操作マニュアル等に記載されたボタン操作説明に対応させる点において、入力ボタンの表示をＪＩＳ規格と同じ表示にすることも、必要と思われた。
【発明を解決するための手段】
【０００６】  １．  ＪＩＳ規格と同一の表示で、平面積ならびに文字の表示部分を大きくしたラミネ−ト文字盤（１）と円形プラスチック版（２）並びにボルト（３）を接着一体化して操作ボタン可動部を構成する。
２．  発泡体パッキング（６）の周囲をウレタンフォ−ムがはみ出さないように、ウレタンフォ−ム押さえ用の円筒（５）にて覆い、内部にウレタンフォ−ム（４）を固定して反発復元体を構成し本体上板（７）に固定する。
３．  本体上部に固定された反発復元体に操作ボタン可動部を差し込み六角ナット（８）にて一体化する。
４．  ボルト最下部の六画ナット（８）と本体底部に固定した市販キ−ボ−ドの個々の操作ボタン（１１）上に接着した六角ナット（１０）を３ｍｍ径程度のジョイント材（９）により接着固定する。
【０００７】  上記構造により、本体操作ボタンを押すと、操作ボタン可動部が下方向に動き相対的にジョイント材を通じた斜め下方向のモ−メントにより本体底部に固定した対応キ−を押し下げ、本体操作ボタンの加圧を解除すると、反発復元体の抵抗によりもとに復帰するといった行程をふまえるのが本発明である。
【発明の効果】
【０００８】  本発明により、視力弱者の方や高齢者の方に今までより快適な入力操作を提供できる。
【発明を実施するための最良の形態】
【０００９】  文字の表示部分を大型化する際、なんべんにもわたる試行錯誤の結果、下記実施例記載の、父のような視力障害者が支障なく操作する為には、最低でも１辺の大きさが２５ｍｍ以上は必要との結論に至り、その結果より本体の形態は、短辺は２８０ｍｍ、長辺は６３０ｍｍ程度の箱形もしくは扇型に類似した形が最良と思われる。
又、高さは現在２００ｍｍであるが、今後の技術改良により薄型にしていく。【００１０】  扇型類似形状の理由は、視野の狭い入力者対策として、操作ボタンを入力者の視線を中心に扇状に配列させることが出来て、各ボタンの底辺部が入力者の方向に一定の角度で向くように配置されることにより、視野の狭い入力者にも少し頭部を左右に動かすだけで、常に各操作ボタンが正面に見える状態になる点をあげることが出来る。
【実施例】
【００１１】  私の父７２歳は白内障・緑内障等の合併疾病の為、片眼は失明他眼は０．３あるかないかで、しかも視野が極端にせまい、身体障害者３級であり、市販されているキ−ボ−ドは、ほとんどその文字の認識が出来ないが、本キ−ボ−ドにより何ら支障なく入力操作が出来るようになった。
【産業上の利用可能性】
【００１２】  視力弱者の方並びに高齢者の方のパソコン入力補助装置。
【図面の簡単な説明】
【００１３】
【図１】本案の斜視図。
【図２】本案の断面図。
【図３】本案の操作ボタン部の部分詳細図。
【符号の説明】
【００１４】  １．ラミネ−ト文字盤
２．円状プラスチック板
３．ボルト
４．ウレタンフォ−ム
５．ウレタンフォ−ム押さえ用円筒
６．発泡体パッキング
７．本体上板
８．ナット
９．ジョイント（ボタン連結材）
１０．ナット
１１．市販キ−ボ−ド入力ボタン
【図１】
2006127438.tif 000003
【図２】
2006127438.tif 000004
【図３】
2006127438.tif 000005
(57)【要約】【課題】薬や医療具等の医療財、患者等を取り違える医療過誤を未然に防ぐ確認方法で、バーコード等を用いず、すなわち、読み取り作業が不要で且つ、バーコードリーダを持ち運ばなくても良い確認方法を提供することを課題とする。【解決手段】夫々異なるＩＤと人体に接触する電極を有し、その電極から人体を媒介としてＩＤ信号を通信する通信装置を患者と医療従事者と医療材の夫々に持たせ、それらの組み合わせを確認し医療過誤を未然に防ぐ。また、医療従事者の持つ通信装置に上記の組み合わせが正しいか判断する判断手段と、判断手段が不正と判断した場合に警告する警告手段を持たせる。さらに、医療従事者の持つ通信装置に無線通信手段を設け、上記の判断手段が不正と判断した場合には前述の無線手段を用いて遠隔地の警告装置を作動させる。【選択図】図１
2006127114.tif 000002
【特許請求の範囲】
【請求項１】
医療過誤を未然に防ぐ確認方法において、
夫々異なるＩＤを有し且つ人体に接触する電極を有するとともに前記電極から人体を媒介として前記ＩＤ信号を通信する通信装置を患者と医療従事者と医療材の夫々に持たせ、
前記通信装置が夫々発するＩＤ信号を用いて医療を受ける患者と、前記医療を受ける患者に医療を施す医療従事者と、前記医療を受ける患者に用いる医療材の組み合わせを確認し医療過誤を未然に防ぐ方法。
【請求項２】
前記医療従事者の持つ通信装置は、
医療を受ける患者と前記医療を受ける患者に医療を施す医療従事者と前記医療を受ける患者に用いる医療材の組み合わせが正しいか判断する判断手段と、
前記判断手段が不正と判断した場合の警告する警告手段を有することを特徴とする請求項１記載の医療過誤を未然に防ぐ確認方法。
【請求項３】
前記医療従事者の持つ通信装置は、
無線通信手段を有し医療を受ける患者と前記医療を受ける患者に医療を施す医療従事者と前記医療を受ける患者に用いる医療材の組み合わせが不正と判断された場合に前記無線手段を用いて遠隔地の警告装置を作動させることを特徴とする請求項１及び２記載の医療過誤を未然に防ぐ確認方法。
【発明の詳細な説明】
【技術分野】
【０００１】
本発明は医療現場における医療過誤、特に取り違えによる医療過誤を未然に防ぐ確認方法に関する。
【背景技術】
【０００２】
昨今の医療現場は多忙を極め、薬や医療具等の医療財、患者等を取り違える事故が増加している。  また、その対策として様々な確認方法が考案され効果を上げている。  その１つとして特開２００３−６７４８８号を開示する。特開２００３−６７４８８号の発明は、個別のバーコードを夫々に付し、その組み合わせの正否を確認するものである。
【特許文献１】特開2003-67488号  （公開公報）
【発明の開示】
【発明が解決しようとする課題】
【０００３】
ところで、開示した発明ではバーコードリーダが必要になる。  更にはバーコードを読み取る作業が必要となる。  そこで本発明は、読み取り作業が不要で且つ、バーコードリーダを持ち運ばなくても良い確認方法を提供することを課題とする。    
【課題を解決するための手段】
【０００４】
夫々異なるＩＤと人体に接触する電極を有し、その電極から人体を媒介としてＩＤ信号を通信する通信装置を患者と医療従事者と医療材の夫々に持たせ、それらの組み合わせを確認し医療過誤を未然に防ぐ。
また、医療従事者の持つ通信装置に上記の組み合わせが正しいか判断する判断手段と、判断手段が不正と判断した場合に警告する警告手段を持たせる。
さらに、医療従事者の持つ通信装置に無線通信手段を設け、上記の判断手段が不正と判断した場合には前述の無線手段を用いて遠隔地の警告装置を作動させる。
【発明の効果】
【０００５】
夫々異なるＩＤと人体に接触する電極を有し、その電極から人体を媒介としてＩＤ信号を通信する通信装置を患者と医療従事者と医療材の夫々に持たせ、それらの組み合わせを確認するので、バーコードを読み取る作業や、バーコードリーダの持ち運びが不要である。  
【発明を実施するための最良の形態】
【０００６】
本発明を実施するにあたり、好適な一実施例を、図を用いて説明する。図１は本発明に用いる通信装置の一例である。  図１に示すものは通信装置本体がアームバンドに取り付けられ、医療従事者や患者が腕に装着し用いるものである。          
【０００７】
図２は本発明で用いる通信装置の構成を示している。電極、送信回路、受信回路、ＩＤ記憶部、制御手段、警告手段、無線通信手段、アンテナ等から構成されている。        
【０００８】
電極は受信手段、及び送信手段に接続されており、人体を媒介してきた信号を検出し受信手段に伝達する。  また、送信手段からの信号を媒介で有る人体に放出する。        
【０００９】
送信手段及び受信手段は制御手段に接続、制御される。受信手段は電極からの信号を復調し制御手段に伝える。  一方送信手段は制御手段からの信号を変調し電極に伝える。        
【００１０】
ＩＤ記憶部は通信装置個々に異なるＩＤデータを記憶している。        
【００１１】
制御手段は送受信の制御、無線通信手段を用いた無線通信の制御、組み合わせの適合を判断する処理（判断手段）、警告手段の制御を行う。        
【００１２】
警告手段は制御手段の制御で、発音、発光等の人が認識できる方法で警告を発する、        
【００１３】
無線通信手段は遠隔地の警告装置を作動させるために無線通信を行う為にある。        
【００１４】
図３は医療従事者が患者等の手に触れた様子示すものである。  このとき通信装置は自電極を介して夫々の人体を媒介とする通信を行う。        
【００１５】
図４は医療従事者が医療材を手にした様子を示したものである。  医療材にはアームバンドの無い通信装置が装着されている。  このとき、医療従事者が医療材の通信装置の電極に触れ、医療従事者の人体を媒介とする通信を行う。        
【００１６】
例えば、患者に医療従事者が注射を施そうとしたとき、医療従事者は医療材である注射器と患者の腕等に触れる。  このとき、注射器のＩＤ信号と患者のＩＤ信号と医療従事者のＩＤ信号が人体を解してやり取りされる。        
【００１７】
このときに正しい組み合わせのデータを予め記憶している判断手段は、ＩＤ信号のやり取りで得た各ＩＤが記憶している組み合わせか比較する。  もし、組み合わせが不正であれば、制御手段は警告手段を動作させ異常を知らせる。        
【００１８】
また、無線通信手段を動作させ遠隔地の警告手段を動作させることもできる。        
【００１９】
以上の仕組みをもって、本発明である医療過誤を未然に防ぐ確認方法を好適に実施することができる。
【図面の簡単な説明】
【００２０】
【図１】・・・本発明の通信装置の一例
【図２】・・・本発明の通信装置の一構成例
【図３】・・・医療従事者が患者等の手に触れた様子
【図４】・・・医療従事者が医療材を手にした様子
【図１】
2006127114.tif 000003
【図２】
2006127114.tif 000004
【図３】
2006127114.tif 000005
【図４】
2006127114.tif 000006
(57)【要約】【課題】  システム検証において、同時に個別検証用テストを起動させた場合、各々の個別検証用テストの要求する割り込みが衝突してしまうという問題を防ぐ。【解決手段】  システム検証テストの実行において、システム検証テスト記述によって指定される複数の個別検証テスト記述に対応する周辺回路を検証するシステム検証手段と、個別検証テストが検証している周辺回路の割り込みを管理する管理手段とを備える。【選択図】  図１
2006127379.tif 000002
【特許請求の範囲】
【請求項１】
集積回路に対して論理検証の処理を行う装置であって、前記集積回路に含まれる複数の周辺回路に対応した複数の個別検証テスト記述と、前記複数の周辺回路を同時に動作させて論理検証するためのシステム検証テスト記述と、システム検証テストの実行において、前記システム検証テスト記述によって指定される複数の個別検証テスト記述に対応する周辺回路を検証するシステム検証手段と、個別検証テストが検証している周辺回路の割り込みリソースを管理する管理手段とを備えることを特徴とする集積回路用論理検証装置。
【請求項２】
複数の個別検証用テストが要求する割り込みが、長い時間、起こらなかった場合にタイムアウトとするため、内部タイマーを持つことを特徴とする請求項１記載の集積回路用論理検証装置。
【発明の詳細な説明】
【技術分野】
【０００１】
本発明は、集積回路のための論理検証装置及び方法に関するものである。
【背景技術】
【０００２】
一般に、システムＬＳＩ等の集積回路のための論理検証テストにおいては、集積回路に含まれる複数の周辺回路のそれぞれを個別に検証するテスト（以下、個別検証という）と、複数の周辺回路を同時に動作させて検証を行うテスト（以下、システム検証という）とは、別に記述されていた。
【０００３】
個別検証では、ＣＰＵから検証対象となる周辺回路にアクセスするテストを記述する方式と、検証対象となる周辺回路の入出力信号または内部回路を直接制御するテストを記述する方式とが多く利用されている。
【０００４】
また、システム検証では、ＣＰＵおよび周辺回路を同時に動作させるテストを記述する方式において、複数の周辺回路のためのテストの記述を上記個別検証のためのテストの記述とは別に用意する方式が多く利用されている。
【０００５】
又、別の従来例としては、テストベンチ上に実際に起こるよりも厳しい条件を簡単に発生させ、検証対象回路のバグ出しを行ない設計品質の向上を図る課題に対して、テストベンチ上に実際の回路とは異なるマスタモデルやスレーブモデルを複数配置し各種データ転送をランダムに発生させる論理検証手法（例えば特許文献１参照）をあげることが出来る。
【特許文献１】特開２００３−１５７１８２号公報
【発明の開示】
【発明が解決しようとする課題】
【０００６】
しかしながら、上記従来例では、個別検証用テストをシステム検証で流用すると、各々の個別検証用テストが使用する周辺回路の割り込みが衝突してしまう、といった問題がある。
【課題を解決するための手段】
【０００７】
上記の課題を解決するための本発明による集積回路用論理検証装置は以下の構成を備える。すなわち、集積回路に対して論理検証の処理を行う装置であって、前記集積回路に含まれる複数の周辺回路に対応した複数の個別検証テスト記述と、前記複数の周辺回路を同時に動作させて論理検証するためのシステム検証テスト記述と、システム検証テストの実行において、前記システム検証テスト記述によって指定される複数の個別検証テスト記述に対応する周辺回路を検証するシステム検証手段と、個別検証テストが検証している周辺回路の割り込みリソースを管理する管理手段とを備える。
【０００８】
なお、本明細書において、記述とはプログラム記述、ソースコード、コンピュータのための実行用のコード等を総括した呼称とする。
【発明の効果】
【０００９】
以上説明したように、本発明によれば、個別検証用テストをシステム検証で流用しても、各々の個別検証用テストが使用する周辺回路の割り込みの衝突を避けることを可能とする。
【発明を実施するための最良の形態】
【００１０】
以下、添付の図面を参照して本発明の実施形態を説明する。
【００１１】
（第１の実施例）
図１は、システムＬＳＩの論理検証を行うシステム構成を示すブロック図である。図１において、１０１は個別検証用テスト、１０２は割り込みモニタ、１０３は割り込みマネージャー、１０４はＣＰＵモデル、１０５は割り込みコントロールユニットである。割り込みマネージャー１０３は個別検証用テスト１０１に埋め込まれた割り込みモニタ１０２を通ってアクセスされる。割り込みモニタ１０２は割り込みマネージャー１０３と個別検証用テスト１０１の間の連結を担う。割り込みマネージャー１０３は、割り込みイベントの発生を見つけるために、割り込みコントローラユニット１０５のピンを直接モニタし、さらに割り込みコントローラユニット１０５のステータスレジスタを読むことで、現在の割り込みの原因も確かめ、個別検証用テスト１０１に割り込み状況を知らせる。この割り込み状況により個別検証用テスト１０１からのリクエストの許可を判断する。割り込みマネージャー１０３が割り込みを管理することにより、個別検証用テスト１０１が同時に起動された場合でも１つしかない割り込み線を複数の個別検証用テストが使用することを防ぐことができる。
【００１２】
図２は、割り込みマネージャーの機能を示すフローチャートである。まず、ステップＳ２０１でテストは要求された割り込みを予約しようとし、ステップＳ］２０２において予約ができたと判断されたならば、ステップＳ２０３へと移り、割り込みマネージャーは割り込みコントローラユニットの割り込みイネーブルレジスタに該当するビットを立てることにより要求された割り込みに権限を与える。ステップＳ２０４において、割り込みマネージャーを呼び出し、テストは割り込みの発生を待つ状態となる。この間、割り込みモニタ内のタイムアウト・カウンタがスタートする。ステップＳ２０６でＣＰＵへの割り込み発生の有無を判定し、発生していなければステップＳ２０７ヘと移り、タイムアウト・カウンタをインクリメントし、再び割り込み発生を待つ。ステップＳ２０６において、ＣＰＵへの割り込み発生があったならば、ステップＳ２０８へと移り、割り込み要因が妥当であるかを判定する。妥当でない場合はステップＳ２０６へと移り、タイムアウト・カウンタをインクリメントする。妥当であった場合はステップＳ２１０へと移り、割り込み要求をしたテストに知らせる。このとき、ステップＳ２１１においてテストで割り込みの生じた回路の割り込み要因レジスタを確認する。ステップＳ２１２では、他のテストで割り込みが使用できるように。テスト終了前に割り込みの権限を開放する。ステップＳ２０５において、タイムアウト・カウントが設定した値に到達した場合はステップＳ２０９へと移り、タイムアウトとしてテストを終了する。
【図面の簡単な説明】
【００１３】
【図１】システムＬＳＩの論理検証を行うシステム構成を示す図である。
【図２】第１の実施例による論理検証処理の手順を説明するフローチャートである。
【図１】
2006127379.tif 000003
【図２】
2006127379.tif 000004
(57)【要約】【課題】  個々のメロンについてのＩＤ情報を消費者が知ることの出来ない現状に鑑み、個々のメロンについての固有の情報を消費者が知ることの出来る表示機能を有するタグを提供することが課題である。【解決手段】  片側に花房のうちにこれに通す穴と他端側に切り取りを容易にする半加工の切り取り線を予め施す保持片に蔓部に掛ける一部に切り込みを施す穴を設け、切り取り線の内側に個々のメロンについてのＩＤ情報を記入、表示のできる表示部を設けるタグとして課題を解決するものである。【選択図】      図１
2006106458.tif 000002
【特許請求の範囲】
【請求項１】
一部に花房を通すタグホ−ルと一部に分離用切り込みを設ける蔓部に掛けて保持するサポ−トホ−ルを形成する保持片とを予め施す切り取り線により容易に分離できるようにしたプレ−トの、前記タグホ−ルと切り取り線との間に捺印、印刷、ＩＣチップ搭載等が可能な表示部を設け、該表示部に生産者の出所、生産日、品質等の出自に関するＩＤ情報を付与することのできる情報伝達媒体であるメロンタグ。
【発明の詳細な説明】
【技術分野】
【０００１】
本発明は、メロン専用の主に品質を保証する表示タグに関するものである。
【背景技術】
【０００２】
従来、メロンの生産，収穫、流通及び販売における出生証明ともなる個々のメロンに固有の品質保証表示タグは公知されていない。
通常は、産地における収穫物全体の品質等の情報が表示されており、例えば夕張メロンなら夕張メロンとしての生産物全体が保証されるだけで、一個のメロンに固有の情報が消費者に示されるものではなかった。
例えば、摘果したメロンの蔓の切り口に挿入する蔓型部材の一部に産地名、店名及び食べ頃月日等の情報記載欄を構成したメロン葉型ラベルを設ける表示タグが公知であるが、
個々のメロンについての情報を表示するものではない。
【０００３】
【特許文献１】実開平２−１００４７９号公報
【発明の開示】
【発明が解決しようとする課題】
【０００４】
本発明は、個々のメロンについてのＩＤ情報を消費者が知ることのできない状況を解消し、個々のメロンに固有の情報を消費者が知ることのできる表示機能を有するメロンタグを提供することを目的として為されたものである。
【課題を解決するための手段】
【０００５】
メロンの花房の段階で、この花房を通し成長しても離脱できないタグホ−ルを一端側に施し、他端側に切り取り線７を設けその先を容易に切り取りできる保持片４とすると共に、該保持片に、蔓が自由に動くことのできる十分な大きさの一部に分離用の切り込み部を設けるサポ−トホ−ルを施すプレ−トの中央部，切り取り線の内側に、生産者側で記載する生産社名、生産地、メロン種その他個々のメロンについてのＩＤ情報を付与し記録、表示できる表示手段を設けて成るメロンタグであり、主に個々のメロンについての品質を保証する媒体手段とするものである。
【発明の効果】
【０００６】
サポ−トホ−ル内を、メロンの成長に伴い蔓が延びても自由に移動でき、切れ目の無いタグホ−ルからメロンが離脱することがなく、個々に附せられたタグがそのメロンに固有の情報を載せ消費者にそのメロンを個々に保証すると言う特有の効果がある。
【発明を実施するための最良の形態】
【０００７】
以下、図面に示す実施例に従って本発明の実施態様について説明する。
図１において、細長い薄いプレ−ト状タグ１の片側にタグホ−ル２を設け他の片側に点線状に半加工されている切り取り線７によって容易に分離可能となるように一体化されている保持片４を形成し、この保持片４内に、分離用切り込み６を一部に設けるサポ−トホ−ル５を施し、中央部には表示部３を設けてある。
【０００８】
図２及び図３は、図１に示すタグをメロンに取り付けた状態を示す外観するものであり、メロンの花房１０をタグ１に設けるタグホ−ル２に通し、支持片４に設けるサポ−トホ−ル５に蔓９を通してタグ１を保持している。通常はトンボと称されるＴ字状蔓８部とメロン本体１１が一緒になって出荷されるものである。
この場合、タグホ−ル２はそれ程大きな孔ではなく、成長に伴ってメロン本体１１の大きさが大となってタグ１がメロン本体１１から離脱できないことで、タグ１とメロン本体１１とが一体化され個々のメロンの品質等が保証されることになる。
【０００９】
表示部３には、個々のメロンについての成熟過程、出来上がり状態等のＩＤ情報を記載でき且つ管理，運営上でのシステムにおける端末機が読み取ることのできるバ−コ−ド、ＩＣチップの搭載により商品と一体となって消費者に対する品質保証を正確に提供し、購買時における消費者の選別を容易にしてより、生産者側と消費者側とにおけるより良い信頼関係を構築することができるものとなる。
【００１０】
タグ１の形状は、本実施例に示す細長の長方形をした薄いプレ−トに限るものでは無く他の楕円形、円形、菱形等の選択は自由である。更に、タグ１を構成する素材は普通には表面に防水処理が施される紙が用いられるが、耐水性且つ軽量である程度の強度を有するものであれば合成樹脂、繊維、金属薄片等でも実施可能である。
要するに、片側に未成長の花房のうちに、これに通す切れ目の無いホ−ルと、片側に半加工の切り取り線を施す保持片に、分離用切り込みを一部に施す蔓部に掛けるホ−ルとを設けるプレ−トの前記切り取り線の内側に各種情報を記載、記憶、表示ができる表示部を形成するタグが本発明における技術範囲であり、形状、材質等を問うものではない。
【産業上の利用可能性】
【００１１】
メロン以外の果実生産の現場でも単体ごとの情報を提供する場合に使用でき得る利用価値もある。
【図面の簡単な説明】
【００１２】
【図１】一実施例を示す外観図である。
【図２】同上使用状態図である。
【図３】同上使用状態図である。
【符号の説明】
【００１３】
１      タグ
２      タグホ−ル
３      表示部
４      保持片
５      サポ−トホ−ル
６      切り込み
７      切り取り線
８      トンボ
９      蔓
１０      花房
１１      メロン本体
【図１】
2006106458.tif 000003
【図２】
2006106458.tif 000004
【図３】
2006106458.tif 000005